(57)【要約】      （修正有）【課題】組み付けが容易な位置決め固定装置を提供する。【解決手段】位置決め固定装置は、表示要素2をハウジング5に対して位置決め固定するべく設けられる。表示要素2は実質的に、主要広がり平面内に位置決めされ、かつ、主要広がり平面に直交する方向においてハウジング5に当接する。位置決め固定装置は実質的に、表示要素2の主要広がり平面に平行な他の主要広がり平面内に位置決めされる。位置決め固定装置は、表示要素2に当接する少なくとも一つの第１圧縮要素4.1.1を含み、さらにはハウジング5に当接する少なくとも一つの第２圧縮要素4.1.2も含む。【選択図】図１
2018025803.tif 000002
【特許請求の範囲】
【請求項１】
表示要素（２）をハウジング（５）に対して位置決め固定する位置決め固定装置（４、４．１）であって、
前記表示要素（２）は実質的に、一つの主要広がり平面内に配置され、かつ、前記主要広がり平面に直交する方向において前記ハウジング（５）に当接し、
前記位置決め固定装置（４、４．１）は実質的に、前記表示要素（２）の前記主要広がり平面に平行な他の主要広がり平面内に配置され、
前記位置決め固定装置（４、４．１）は、
前記表示要素（２）に当接する少なくとも一つの第１圧縮要素（４．１．１）と、
前記ハウジング（５）に当接する少なくとも一つの第２圧縮要素（４．１．２）と
を含む位置決め固定装置（４、４．１）。
【請求項２】
前記位置決め固定装置（４、４．１）は、導電性材料、特に金属又は金属合金から作られる、請求項１に記載の位置決め固定装置（４、４．１）。
【請求項３】
前記第１圧縮要素（４．１．１）及び前記第２圧縮要素（４．１．２）は、板ばねの態様で互いに接続される、請求項１又は２に記載の位置決め固定装置（４、４．１）。
【請求項４】
複数の第１圧縮要素（４．１．１）及び一つの第２圧縮要素（４．１．２）が蛇行的に、特に折り曲げられたばねクリップの形態で接続される、請求項１から３のいずれか一項に記載の位置決め固定装置（４、４．１）。
【請求項５】
複数の第２圧縮要素（４．１．２）及び一つの第１圧縮要素（４．１．１）が蛇行的に、特に折り曲げられたばねクリップの形態で接続される、請求項１から４のいずれか一項に記載の位置決め固定装置（４、４．１）。
【請求項６】
前記位置決め固定装置（４、４．１）は枠を形成する、請求項１から５のいずれか一項に記載の位置決め固定装置（４、４．１）。
【請求項７】
前記位置決め固定装置（４、４．１）は矩形枠として設けられる、請求項１から６のいずれか一項に記載の位置決め固定装置（４、４．１）。
【請求項８】
前記表示要素（２）は、前記主要広がり平面に直交する方向において前記ハウジング（５）の隔壁に当接する、請求項１から７のいずれか一項に記載の位置決め固定装置（４、４．１）。
【請求項９】
特に自動車用の表示装置（１）であって、
請求項１から８のいずれか一項に記載の位置決め固定装置（４、４．１）と、
表示要素（２）及びハウジング（５）と
を含む表示装置（１）。
【請求項１０】
前記表示要素（２）は、少なくとも一つの薄膜トランジスタ（ＴＦＴ）型エレクトロルミネセンス要素又は液晶エレクトロルミネセンス要素（ＬＣＤ、液晶ディスプレイ）を含む、請求項９に記載の表示装置（１）。
【発明の詳細な説明】
【技術分野】
【０００１】
本発明は、表示要素を位置決め固定する装置に関し、及びかかる位置決め固定装置を含む特に自動車用の表示装置に関する。
【背景技術】
【０００２】
位置決め固定装置は、例えば特許文献１によって知られている。この公報は、器具において要素を支持するべく可撓性材料のブロックを設けることを提案する。そのブロック／要素組付体は、第１支持体と第２支持体との間に挟み込まれる。これらの支持体は、ブロックを位置決めする手段と、要素を位置決めする手段とを含む。これらの支持体はまた、ブロック及び要素を互いに固定し合うようにする手段も含む。
【０００３】
先行技術に係る当該装置の一つの短所は、多数の異なる要素及び部品を設けなければならない点にある。これは、当該装置の製造を比較的高額化かつ巨大化させ、さらに当該装置の重量を増大させる。
【０００４】
先行技術に係る当該装置のもう一つの短所は、組み付けられる嵌め合い部品の数に応じて増大する組み付け時間である。
【０００５】
さらに、例えばダッシュボード又は中央コンソールのような車両の内装機器部分に配列される表示装置も、先行技術において周知である。表示装置は一般に、情報を表示するための表示要素と、当該表示要素に結合され、かつ、当該表示要素を動作させるべく使用される接続配列体が設けられた導体パネル／電子プリント回路基板とを含む。表示要素は、ほとんどの場合、その境界領域がハウジング封止要素（又は隔壁要素）によって囲まれる。表示要素は例えば、液晶画面、特にＴＦＴ（薄膜トランジスタ）型画面の形態である。ＴＦＴ画面は、薄膜トランジスタからなるマトリクスを含み、ユーザにとって良好な光学的品質を有する表示要素が得られるようにする。
【先行技術文献】
【特許文献】
【０００６】
【特許文献１】仏国特許出願公開第２６７４２９５（Ａ１）号明細書
【発明の概要】
【発明が解決しようとする課題】
【０００７】
本発明の目的は特に、先行技術の短所を克服することにある。また、表示要素を位置決め固定する装置であって、組み付けが容易な、かつ、当該表示装置の使用期間中の安定性を確実に増大させる装置を与えることも目的である。
【課題を解決するための手段】
【０００８】
本発明によれば、この目的は、表示要素をハウジングに対して位置決め固定する装置によって達成される。表示要素は実質的に、一つの主要広がり平面内に位置決めされ、かつ、当該主要広がり平面に直交する方向においてハウジングに当接する。位置決め固定装置は実質的に、表示要素の主要広がり平面に平行な他の主要広がり平面内に位置決めされる。位置決め固定装置は、表示要素に当接する少なくとも一つの第１圧縮要素と、ハウジングに当接する少なくとも一つの第２圧縮要素とを含む。
【０００９】
かかる位置決め固定装置によって、有利なことに、一つの部品による単純な方法で表示要素を位置決め固定することができる。これにより、表示要素を簡単かつ安価に取り付けることができる。
【００１０】
本発明に係る目的は、情報を提示するべく使用される表示要素であって、その境界領域が、ハウジング内に配列された封止要素（又は隔壁要素）によって囲まれる表示要素と、当該表示要素に結合された導体パネル／電子プリント回路基板であって、当該表示要素を動作させるべく使用される導体パネル／電子プリント回路基板と、当該表示要素と当該導体パネルとの間に配置された固定及び／又は保持要素であって、当該表示要素を当該導体パネル及び当該ハウジングに対して画定された位置に保持する固定及び／又は保持要素とを含む表示装置によって達成される。固定及び／又は保持要素は、少なくとも所定のセグメントが可撓性の形態を有する。これは、少なくともいくつかのセグメントが、水平面内でジグザグ形状を備える曲がった外形を有するばね要素、特に板ばねの形態をとって、見る方向において表示要素の下側に接触し、かつ、見る方向において導体パネルの上側に接触することが好ましい。固定及び／又は保持要素は、例えばステンレス鋼のような金属から作られるのが特に好ましい。
【００１１】
有利なことに固定及び／又は保持要素によって、表示要素をツールなしにハウジングと導体パネルとの間に取り付けることが可能となる。その結果、表示要素を表示装置及びハウジング内に配列する追加的な固定要素が不要となる。これを目的として、表示要素の境界は、導体パネルの方向が、すなわち見る方向において下方が固定及び／又は保持要素によって定められ、かつ、ハウジングの方向が、すなわち見る方向において上方が封止要素によって定められるので、表示要素が所定位置に最適に保持される。表示装置のコスト及び複雑性に対処することにより、その製造を安価に行うことができる。
【００１２】
好ましい実施形態によれば、位置決め固定装置は、導電性材料、特に金属又は金属合金から作られる。
【００１３】
位置決め固定装置を導電性材料から作ることの利点は、表示要素を放電の、特に静電放電の有害な影響から保護することができることにある。
【００１４】
本発明の好ましい改善点は、第１圧縮要素及び第２圧縮要素が板ばねの態様で互いに接続されることにある。
【００１５】
したがって本発明によれば、有利なことに、表示装置のハウジング内に表示要素を簡単かつ永続的に固定することが実行可能である。
【００１６】
他の好ましい実施形態によれば、
・複数の第１圧縮要素及び第２圧縮要素が蛇行的に、特に折り曲げられたばねクリップの形態で接続される。
・複数の第２圧縮要素及び一つの第１圧縮要素が蛇行的に、特に折り曲げられたばねクリップの形態で接続される。
【００１７】
位置決め固定装置をこのようにして製造することにより、有利なことに、位置決め固定装置を単純かつ安価に製造することができる。
【００１８】
本発明の好ましい改善点はまた、位置決め固定装置が枠を形成することにある。
【００１９】
本発明によれば、有利なことに、迅速な取り付けに適合する固定が得られるだけでなく、ガタガタ鳴る騒音がない固定も得られ、かつ、位置決め固定装置と表示要素との電気的接触も可能となる。
【００２０】
さらにもう一つの好ましい実施形態によれば、位置決め固定装置は矩形枠として設けられる。
【００２１】
本発明の好ましい改善点はまた、表示要素が、主要広がり平面に直交する方向においてハウジングの隔壁に当接することにある。
【００２２】
位置決め固定装置をこのようにして製造することにより、有利なことに、表示要素が位置決め固定装置に対して固定されるという事実にもかかわらず、簡単な取り付けを実行することができる。
【００２３】
本発明はまた、特に自動車用の表示装置に関する。表示装置は、表示要素、ハウジング、及び本発明に係る位置決め固定装置を含む。
【００２４】
本発明の好ましい改善点はまた、表示要素が少なくとも一つの薄膜トランジスタ（ＴＦＴ）型エレクトロルミネセンス要素又は液晶エレクトロルミネセンス要素（ＬＣＤ、液晶ディスプレイ）を含むことにある。
【００２５】
本発明の特定の非制限的な実施形態についての以下の記載を読むことにより、本発明の他の特徴及び利点が明らかとなる。
【図面の簡単な説明】
【００２６】
本発明は、非制限的な例として与えられ、かつ、添付の概略的な図面を参照して説明される好ましい実施形態に関する以下の記載により良好に理解される。
【００２７】
【図１】本発明に係る表示要素によって組み付けられた位置決め固定装置の断面的表現である。
【図２】本発明の第１実施形態に係る表示要素及び位置決め固定装置を有する表示装置の立面的表現である。
【図３】本発明の第１実施形態に係る位置決め固定装置の立面的表現である。
【図４】本発明の第２実施形態に係る位置決め固定装置の立面的表現である。
【発明を実施するための形態】
【００２８】
図面全体にわたり、対応する部品は、同じ参照番号に関連づけられる。
【００２９】
図１は、本発明に係る表示装置１の断面的表現を例示する。表示装置１は、表示要素２と、導体パネル３（以下、電子プリント回路基板３とも称する）と、固定及び／又は保持要素４（以下、位置決め固定要素４とも称する）とを含む。
【００３０】
表示装置１は好ましくは、例えばダッシュボード又は中央コンソールのような車両内に配列され、かつ、ユーザが意図する情報を取得及び／又は表示するべく使用される。表示装置１によって、例えば、車両内に配置されるナビゲーションシステムのための画像表示をもたらすことができる。
【００３１】
本例では、表示要素２は、正面側に、すなわち見る者の方を向く側に、受信した電気信号に応答して情報を表示することができる平面要素の形態をとる。表示要素２は例えば、液晶画面、特にＴＦＴ（薄膜トランジスタ）型画面の形態をとる。ＴＦＴ画面は、薄膜トランジスタからなるマトリクスを含み、ユーザにとって良好な光学的品質を有する表示要素２が得られるようにする。
【００３２】
表示要素２に対して意図される電気信号及び供給電圧が、電気接続配列体によって導体パネル３に与えられる。これを目的として、導体パネル３は、見る方向において表示要素２の下に平行に配列され、かつ、ケーブルによって表示要素２の電気的平面上に（図示しない方法で）結合される。これを目的として、導体パネル３は、表示要素２の動作を可能とする電気的及び電子的コンポーネントを含む。
【００３３】
この例示される実施形態では、固定及び／又は保持要素（すなわち位置決め固定装置）４は、表示要素２と導体パネル３との間に配列される板ばね４．１の形態をとる。当該ばねは、少なくとも所定のセグメントが水平面内をジグザグ状に内方へ曲がる外形を有する。板ばね４．１／位置決め固定装置４．１は好ましくは、例えばステンレス鋼のような金属から作られる。ここで、ジグザグ状に内方へ曲がる板ばね４．１の箇所４．１．１（第１圧縮要素４．１．１とも称する）は、表示要素２に面するように配向され、表示要素２の裏側に、すなわち見る方向において表示要素２の下側に接触する。ジグザグ状に内方へ曲がる板ばね４．１の箇所４．１．２（第２圧縮要素４．１．２とも称する）は、導体パネルに面するように配向され、導体パネル３の上側に接触する。板ばね４．１は、この場合、追加的な固定手段なしで表示装置Ｌ１内に配列されるのが特に好ましい。ここで、板ばね４．１の箇所４．１．１は、丸まった形状を有するのが好ましい。
【００３４】
板ばね４．１（図２ではハッチングにより表現される）は、図２及び３に示される第１実施形態によれば、表示要素２の周縁境界領域に対応するように作られる。その結果、この領域は立面図において、対応する丸みが外周領域に設けられた近似的に四面体の形状を有する。図４に例示される代替的な実施形態では、板ばね４．１は、所定のセグメントが表示要素２の周縁境界領域に対応するような、立面図においてＨ字形状を有する。
【００３５】
板ばね４．１は好ましくは、一体に作られたコンポーネントの形態をとり、かつ、例えばプレス工程によって容易かつ安価に製造することができる。一変形例として、板ばね４．１は、複数の部品を一緒に接続しての圧力嵌め及び／又は形状嵌め及び／又は物質嵌めによって形成される。
【００３６】
表示要素２、導体パネル３並びに固定及び／又は保持要素４は、ハウジング５内に配列される。ハウジング５は、この例示される実施形態では、車両のダッシュボードコンソールの照明ケーシングの形態をとる。
【００３７】
ハウジング５は、周縁に段部を有する。第２段の外周は、第１段よりも小さい。封止要素５．１の形態をとる抜き部が、第２段に配列される。当該抜き部の周縁は、表示要素２の外周よりも小さい。
【００３８】
表示要素２は、見る方向において封止要素の下方に配列される。表示要素２の境界は、導体パネル３の方向が、すなわち見る方向において下方が固定及び／又は保持要素４によって定められ、かつ、ハウジング５の方向が、すなわち見る方向において上方が封止要素５．１によって定められる。これにより、表示要素２を、所定位置に最適に保持することができる。
【００３９】
したがって、有利なことに固定及び／又は保持要素４によって、表示要素２をツールなしに表示装置１に取り付けることが可能となり、ひいては、表示要素２とハウジング５との圧力嵌め接続を確立するための追加的な固定要素の使用が不要となる。
【００４０】
一変形例として又は追加的に、ハウジング５は内側に、例えば固定及び／又は保持要素４のセクションが中に配列される切欠きの形態のような、材料抜き部を含んでよい。この場合、例えば見る方向において下方に導体パネル３が圧縮される場合でも、及び、導体パネル３に面するように配向される箇所４．１．２がもはや導体パネル３の上側に接触することがない場合でも、表示要素２を所定位置に保持することができる。
【符号の説明】
【００４１】
１  表示装置
２  表示要素
３  導体パネル／電子プリント回路基板
４  固定及び／又は保持要素
４．１  板ばね
４．１．１  箇所／第１圧縮要素
４．１．２  箇所／第２圧縮要素
５  ハウジング
５．１  封止要素／隔壁
【図１】
2018025803.tif 000003
【図２】
2018025803.tif 000004
【図３】
2018025803.tif 000005
【図４】
2018025803.tif 000006
【手続補正書】
【提出日】平成29年8月22日(2017.8.22)
【手続補正２】
【補正対象書類名】特許請求の範囲
【補正対象項目名】全文
【補正方法】変更
【補正の内容】
【特許請求の範囲】
【請求項１】
表示要素（２）をハウジング（５）に対して位置決め固定する位置決め固定装置（４、４．１）であって、
前記表示要素（２）は、一つの主要広がり平面内に配置され、かつ、前記主要広がり平面に直交する方向において前記ハウジング（５）に当接し、
前記位置決め固定装置（４、４．１）は、前記表示要素（２）の前記主要広がり平面に平行な他の主要広がり平面内に配置され、
前記位置決め固定装置（４、４．１）は、
前記表示要素（２）に当接する少なくとも一つの第１圧縮要素（４．１．１）と、
前記ハウジング（５）に当接する少なくとも一つの第２圧縮要素（４．１．２）と
を含み、
前記第１圧縮要素（４．１．１）及び前記第２圧縮要素（４．１．２）は、前記主要広がり平面に直交する方向において一つの連続するジグザグ状の蛇行曲線を形成する位置決め固定装置（４、４．１）。
【請求項２】
前記位置決め固定装置（４、４．１）は、金属又は金属合金を含む導電性材料から作られる、請求項１に記載の位置決め固定装置（４、４．１）。
【請求項３】
前記第１圧縮要素（４．１．１）及び前記第２圧縮要素（４．１．２）は、板ばねの態様で互いに接続される、請求項１又は２に記載の位置決め固定装置（４、４．１）。
【請求項４】
複数の第１圧縮要素（４．１．１）及び一つの第２圧縮要素（４．１．２）が、折り曲げられたばねクリップの形態で接続される、請求項１から３のいずれか一項に記載の位置決め固定装置（４、４．１）。
【請求項５】
複数の第２圧縮要素（４．１．２）及び一つの第１圧縮要素（４．１．１）が、折り曲げられたばねクリップの形態で接続される、請求項１から４のいずれか一項に記載の位置決め固定装置（４、４．１）。
【請求項６】
前記位置決め固定装置（４、４．１）は枠を形成する、請求項１から５のいずれか一項に記載の位置決め固定装置（４、４．１）。
【請求項７】
前記位置決め固定装置（４、４．１）は矩形枠として設けられる、請求項１から６のいずれか一項に記載の位置決め固定装置（４、４．１）。
【請求項８】
前記表示要素（２）は、前記主要広がり平面に直交する方向において前記ハウジング（５）の隔壁に当接する、請求項１から７のいずれか一項に記載の位置決め固定装置（４、４．１）。
【請求項９】
自動車用の表示装置（１）であって、
請求項１から８のいずれか一項に記載の位置決め固定装置（４、４．１）と、
表示要素（２）及びハウジング（５）と
を含む表示装置（１）。
【請求項１０】
前記表示要素（２）は、少なくとも一つの薄膜トランジスタ（ＴＦＴ）型エレクトロルミネセンス要素又は液晶エレクトロルミネセンス要素（ＬＣＤ、液晶ディスプレイ）を含む、請求項９に記載の表示装置（１）。
【外国語明細書】
2018025803000001.pdf